(57)【要約】【課題】検査機器の種類または検査の独自種類名が異なったとしても、同じ種類の検査の結果を抽出して閲覧可能なプログラム及び閲覧システムを得る。【解決手段】閲覧システム１００は、ＣＴスキャン装置１０と、ＣＴスキャン装置１０から検査結果情報を取得する情報提供用端末２０と、検査の種類それぞれを独自に特定した情報に検査種別コードを合成する処理を実行するとともに検査結果情報に付加する処理を実行した後に記憶しＷｅｂサイトを構築可能なサーバ５０と、検査結果情報に付加したい情報をサーバ５０に送信することが可能な情報付加用端末４０と、サーバ５０内の各種データを表示するＷｅｂサイトを閲覧可能な閲覧用端末３０と、を備えている。【選択図】図１
2019003386.tif 000002
【特許請求の範囲】
【請求項１】
コンピュータを、
情報の入力操作が可能な操作手段と、
検査の種類それぞれに対応しており、あらかじめ設定された検査種別コードの情報を記憶する検査種別コード記憶手段、
前記検査の種類それぞれをユーザが独自に特定した情報（以下、検査種類特定情報）に、前記検査種類特定情報に対応する前記検査種別コードの情報を、前記ユーザによる前記操作手段の操作によって紐付けて合成情報を生成する合成情報生成手段、
前記合成情報を記憶する合成情報記憶手段、
前記検査それぞれによって得られた各検査結果の情報（以下、検査結果情報）に、前記ユーザによる前記操作手段の操作によって対応する前記合成情報を付加する情報付加手段、
前記情報付加手段によって前記検査種類特定情報が付加された前記検査結果情報（以下、付加情報）を記憶する付加情報記憶手段、
前記付加情報記憶手段と通信可能に接続され、前記付加情報に含まれる情報のうちいずれか１つ以上を表示するＷｅｂサイトを構築可能なＷｅｂサイト構築手段、
閲覧が許可された所定のユーザによる閲覧用外部端末の所定の操作の信号を受信した場合、前記閲覧用外部端末において前記Ｗｅｂサイトを閲覧可能にするとともに、前記Ｗｅｂサイトにおいて前記付加情報に含まれる前記検査種別コードを介して前記検査結果情報を閲覧可能な閲覧手段、
として機能させるプログラム。
【請求項２】
前記検査結果情報のそれぞれには、
被検査者の固有ＩＤの情報（以下、固有ＩＤ情報）と、
前記固有ＩＤ情報に紐付けられ、前記被検査者が検査時に被爆した放射線量の情報（以下、放射線量情報）と、
が含まれており、
前記閲覧手段は、前記固有ＩＤ情報を介して前記検査結果情報に含まれる前記被検査者の放射線量の情報を閲覧可能なものであることを特徴とする請求項１に記載のプログラム。
【請求項３】
前記合成情報生成手段は、前記検査を行う検査機器の種類の情報をさらに合成情報に合成可能なものであることを特徴とする請求項１又は２に記載のプログラム。
【請求項４】
請求項１〜３のいずれか１項に記載のプログラムを記憶した記憶手段と、前記プログラムを実行するコンピュータと、を備える閲覧システム。
【発明の詳細な説明】
【技術分野】
【０００１】
本発明は、検査機器等が異なる同じ種類の検査の結果を抽出して閲覧可能なプログラム及び閲覧システムに関するものである。
【背景技術】
【０００２】
予てより、医療用検査機器等から得られた情報を閲覧するシステムとして、例えば特許文献１に記載のものが知られている。この特許文献１に記載のものは、放射線検査装置で撮影された画像とその画像の撮影に関する情報が保存される画像管理サーバに保存された画像情報から被曝線量の算出に必要な情報を抽出して被曝線量計算し、被検者の被曝線量のデータを管理する被曝線量管理装置と、院内情報データベースサーバとが、ネットワークを介して接続され、被曝線量管理装置で計算された被曝線量のデータが、院内情報データベースサーバの被検者の個人情報データベース内に記録保存され、前記被曝線量のデータが、ネットワークを介して院内情報データベースサーバと接続された端末またはサーバで利用可能にした放射線被曝線量管理システムである。
【先行技術文献】
【特許文献】
【０００３】
【特許文献１】特開２００７−９７９０９号公報
【発明の開示】
【発明が解決しようとする課題】
【０００４】
たとえば、上記放射線検査装置内ではDICOM（Digital Imaging and Communications in Medicine）情報が記憶されており、その中の一部に検査機器を示すテキストがある。CT検査であれば、上記放射線検査装置はCT装置であるため「CT」とのテキストが表示される。具体例を挙げると、「Modality (0008,0060) CT」などである。
【０００５】
しかしながら、実際には医療機関ごとの様々な事情（ネットワーク上、あるいは関連した他社のシステムとの接続の関係上）により、上記放射線検査装置を示すテキストが異なることが多い。また、医療機関ごとまたは部署ごとに、各検査の名称が異なることがある。これらのような医療現場において、検査内容が同一の検査の結果をグループ化したい場合、検査内容が同一であるかどうかわからず、情報処理上、検査の結果の分類作業に支障が出ることがあった。
【０００６】
そこで、本発明は、上記の問題に鑑みなされたものであり、検査機器の種類または検査の独自種類名が異なったとしても、同じ種類の検査の結果を抽出して閲覧可能なプログラム及び閲覧システムを提供する。
【課題を解決するための手段】
【０００７】
（１）  本発明に係るプログラムは、コンピュータを、情報の入力操作が可能な操作手段と、検査の種類それぞれに対応しており、あらかじめ設定された検査種別コードの情報を記憶する検査種別コード記憶手段、前記検査の種類それぞれをユーザが独自に特定した情報（以下、検査種類特定情報）に、前記検査種類特定情報に対応する前記検査種別コードの情報を、前記ユーザによる前記操作手段の操作によって紐付けて合成情報を生成する合成情報生成手段、前記合成情報を記憶する合成情報記憶手段、前記検査それぞれによって得られた各検査結果の情報（以下、検査結果情報）に、前記ユーザによる前記操作手段の操作によって対応する前記合成情報を付加する情報付加手段、前記情報付加手段によって前記検査種類特定情報が付加された前記検査結果情報（以下、付加情報）を記憶する付加情報記憶手段、前記付加情報記憶手段と通信可能に接続され、前記付加情報に含まれる情報のうちいずれか１つ以上を表示するＷｅｂサイトを構築可能なＷｅｂサイト構築手段、閲覧が許可された所定のユーザによる閲覧用外部端末の所定の操作の信号を受信した場合、前記閲覧用外部端末において前記Ｗｅｂサイトを閲覧可能にするとともに、前記Ｗｅｂサイトにおいて前記付加情報に含まれる前記検査種別コードを介して前記検査結果情報を閲覧可能な閲覧手段、として機能させるものである。
【０００８】
上記（１）の構成のプログラムを備えた閲覧システムのＷｅｂサイトに通信可能な端末を有した医療機関などにおける所定のユーザは、検査種別コードを閲覧手段において選択するだけで、検査機器名、検査の独自種類名（たとえば、称呼または略語）などが医療機関ごと又は部署ごとに異なっていても、同じ種類の検査の結果を抽出して閲覧することができる。すなわち、上記所定のユーザは、検査種別コードを閲覧手段において選択するだけで、検査機器の種類および検査の各自の種類名に依存しないで、検査内容が同一の検査の結果を抽出し、分類することができる。また、上記（１）の構成のプログラム備えた閲覧システムによれば、上記所定のユーザが用いている検査の独自種類名からも、検査内容が同一の検査の結果を抽出し、分類することができる。すなわち、複数の医療施設などが上記（１）の構成のプログラム備えた閲覧システムを利用している場合、各ユーザが用いている検査の独自種類名のそれぞれから、検査内容が同一の検査の結果の情報を抽出し、分類することができる。したがって、各ユーザは、他の医療施設などの検査の結果の情報を分析することなどが可能である。
【０００９】
（２）  上記（１）のプログラムにおいて、前記検査結果情報のそれぞれには、被検査者の固有ＩＤの情報（以下、固有ＩＤ情報）と、前記固有ＩＤ情報に紐付けられ、前記被検査者が検査時に被爆した放射線量の情報（以下、放射線量情報）と、が含まれており、前記閲覧手段は、前記固有ＩＤ情報を介して前記検査結果情報に含まれる前記被検査者の放射線量の情報を閲覧可能なものであってもよい。
【００１０】
上記（２）の構成のプログラムを備えた閲覧システムによれば、記憶された被検査者の放射線量の情報を管理することができる。すなわち、仮に、検査した病院などが廃業をして、別の病院で診療を受けることになったとしても、被検査者の放射線量の情報を残すことが可能であり、一生を通じた被検査者の放射線量の情報の管理が可能となる。
【００１１】
（３）  上記（１）または（２）のプログラムにおいて、前記合成情報生成手段は、前記検査を行う検査機器の種類の情報をさらに合成情報に合成可能なものであってもよい。
【００１２】
上記（３）の構成のプログラムを備えた閲覧システムによれば、検査機器の種類ごとに検査結果を分類することも可能である。
【図面の簡単な説明】
【００１３】
【図１】本発明の実施形態に係る閲覧システムの概略構成図である。
【図２】図１の閲覧システムの情報付加用端末におけるＷｅｂブラウザに表示される画像の一例を示す写真である。
【図３】図１の閲覧システムの情報付加用端末におけるＷｅｂブラウザに表示される画像の一例を示す写真である。
【図４】図１の閲覧システムの情報付加用端末におけるＷｅｂブラウザに表示される画像の一例を示す写真である。
【図５】図１の閲覧システムの情報付加用端末におけるＷｅｂブラウザに表示される画像の一例を示す写真である。
【図６】図１の閲覧システムの情報付加用端末におけるＷｅｂブラウザに表示される画像の一例を示す写真である。
【図７】図１の閲覧システムの情報付加用端末におけるＷｅｂブラウザに表示される画像の一例を示す写真である。
【図８】図１の閲覧システムの情報付加用端末におけるＷｅｂブラウザに表示される画像の一例を示す写真である。
【図９】図１の閲覧システムの情報付加用端末におけるＷｅｂブラウザに表示される画像の一例を示す写真である。
【図１０】図１の閲覧システムの情報付加用端末におけるＷｅｂブラウザに表示される画像の一例を示す写真である。
【図１１】図１の閲覧システムの情報付加用端末におけるＷｅｂブラウザに表示される画像の一例を示す写真である。
【図１２】図１の閲覧システムの情報付加用端末におけるＷｅｂブラウザに表示される画像の一例を示す写真である。
【図１３】図１の閲覧システムの情報付加用端末におけるＷｅｂブラウザに表示される画像の一例を示す写真である。
【図１４】図１の閲覧システムの情報付加用端末におけるＷｅｂブラウザに表示される画像の一例を示す写真である。
【図１５】図１の閲覧システムの閲覧用端末におけるＷｅｂブラウザに表示される画像の一例を示す写真である。
【図１６】図１の閲覧システムの閲覧用端末におけるＷｅｂブラウザに表示される画像の一例を示す写真である。
【図１７】図１の閲覧システムの閲覧用端末におけるＷｅｂブラウザに表示される画像の一例を示す写真である。
【図１８】図１の閲覧システムの閲覧用端末におけるＷｅｂブラウザに表示される画像の一例を示す写真である。
【図１９】図１の閲覧システムの閲覧用端末におけるＷｅｂブラウザに表示される画像の一例を示す写真である。
【図２０】図１の閲覧システムの閲覧用端末におけるＷｅｂブラウザに表示される画像の一例を示す写真である。
【発明を実施するための形態】
【００１４】
以下、本発明の実施形態に係る閲覧システム１００について図面に基づいて説明する。
【００１５】
（閲覧システム１００の構成）
図１に示したように、本発明の実施の形態に係る閲覧システム１００は、ＣＴスキャン装置１０と、情報提供用端末２０と、閲覧用端末３０と、情報付加用端末４０と、サーバ５０とを備えている。なお、ＣＴスキャン装置１０と情報提供用端末２０は、有線ＬＡＮ又は無線ＬＡＮなどのネットワークを介して通信可能に接続されている。また、情報提供用端末２０、閲覧用端末３０、情報付加用端末４０は、サーバ５０と有線ＬＡＮ又は無線ＬＡＮなどのネットワークを介して通信可能に接続されている。なお、図示していないが、ＣＴスキャン装置１０、情報提供用端末２０、および情報付加用端末４０の組み合わせは、各医療施設などにそれぞれ設けられているものであり、該医療施設に複数設けられている場合もある。また、閲覧用端末３０は、情報提供用端末２０と対応するように、各医療施設などに設けられている。
【００１６】
ＣＴスキャン装置１０は、Ｘ線又は放射線などを利用して物体を走査し、コンピュータを用いて処理することで、物体の内部画像を構成することができるものである。ＣＴスキャン装置１０において撮影された画像データ、画像データに付帯されるテキストデータ、撮影時のＣＴスキャン装置１０の設定条件、被曝線量値などのデータ、被検査者の固有ＩＤは、検査それぞれによって得られた各検査結果の情報（以下、検査結果情報）として、ＣＴスキャン装置１０から情報提供用端末２０に送信される。なお、本実施形態で扱う情報としては、例えば、ＤＩＣＯＭ（Digital Imaging and Communications in Medicine）規格の情報が挙げられるが、これに限られない。なお、ＣＴスキャン装置１０の代わりに、他の医療用検査装置を用いてもよい。
【００１７】
情報提供用端末２０は、ＣＴスキャン装置１０に接続されており、ＣＴスキャン装置１０から送信されたデータを保管（記憶）可能な情報保管部２１と、情報保管部２１から上記検査結果情報を取得可能な検査結果情報取得部２２とを備えている。検査結果情報取得部２２は、上記検査結果情報として、画像データ及び画像データに付帯するテキストデータを抽出・取得する機能を有したものであるが、各種データの変更処理機能（図示せず）も有している。また、検査結果情報取得部２２は、サーバ５０内の記憶部５１に各種情報を送信可能なものでもある。
【００１８】
なお、情報提供用端末２０は、ＣＰＵと、主記憶装置と、情報保管部２１を含む補助記憶装置と、通信Ｉ／Ｆと、入力装置（キーボード、マウス（ポインティングデバイス）、タッチパネルなど）と、ディスプレイ装置（いずれも図示せず）を備えており、補助記憶装置に記憶（インストール）された情報取得用プログラムと情報送信用プログラムとを、ＣＰＵが主記憶装置にロードして実行することによって、検査結果情報取得部２２の情報取得機能及び情報送信機能を実現する。
【００１９】
閲覧用端末３０は、クライアントアプリケーションとして、例えば、ビューワ機能を司るＷｅｂブラウザ３１を備えている。Ｗｅｂブラウザ３１は、サーバ５０へＨＴＴＰ ＧＥＴに基づく通信（例えば、ＨＴＴＰ通信）を行い、サーバ５０に対して閲覧用端末３０のユーザが閲覧を所望する情報の提供要求を送信する。また、Ｗｅｂブラウザ３１は情報の提供要求に応じてサーバ５０にて生成された情報を含むファイルを受信し、ファイルに基づく画像をディスプレイに表示する。この情報を含むファイルは、例えば、ＪＳＯＮ（JavaScript（登録商標） Object Notation）ファイルとして提供される。
【００２０】
なお、閲覧用端末３０は、ＣＰＵと、主記憶装置と、補助記憶装置と、通信Ｉ／Ｆと、入力装置（キーボード、マウス（ポインティングデバイス）、タッチパネルなど）と、ディスプレイ装置（いずれも図示せず）を備えており、補助記憶装置に記憶（インストール）されたＷｅｂブラウザ３１に対応するプログラムをＣＰＵが主記憶装置にロードして実行することによって、Ｗｅｂブラウザ３１（クライアントアプリケーション）のＷｅｂサイト閲覧機能を実現する。これにより、閲覧用端末３０は、ネットワークを介してサーバ５０が構築して提供するＷｅｂサイトにアクセスすることによって、目的の情報の閲覧を行うＷｅｂページをディスプレイ装置に表示することができる。
【００２１】
情報付加用端末４０は、クライアントアプリケーションとして、例えば、ビューワ機能（閲覧機能）及びデータ入力機能を司るＷｅｂブラウザ４１を備えている。また、Ｗｅｂブラウザ４１においては、ビューワ機能（閲覧機能）及びデータ入力機能を実行できるように構成しているが、ビューワ機能（閲覧機能）又はデータ入力機能のどちらか一方の機能を実行し、他のＷｅｂブラウザなどにおいて他方を実行可能に構成してもよい。
【００２２】
なお、情報付加用端末４０は、ＣＰＵと、主記憶装置と、補助記憶装置と、通信Ｉ／Ｆと、入力装置（キーボード、マウス（ポインティングデバイス）、タッチパネルなど）と、ディスプレイ装置（いずれも図示せず）を備えており、補助記憶装置に記憶（インストール）されたＷｅｂブラウザ４１に対応するプログラムをＣＰＵが主記憶装置にロードして実行することによって、Ｗｅｂブラウザ４１（クライアントアプリケーション）の各種データ参照機能を実現する。これにより、情報付加用端末４０のＷｅｂブラウザ４１においては、ネットワークを介してサーバ５０が構築して提供するＷｅｂサイトにアクセスすることによって、各種の操作（例えば、各データへの他情報の追加）を行うＷｅｂサイト（Ｗｅｂページ）をディスプレイ装置に表示することができる。また、情報付加用端末４０は、いわゆるデスクトップ型又はノート型のパーソナルコンピュータでもよいし、携帯型端末（スマートフォン、タブレット型ＰＣなど）でもよい。
【００２３】
サーバ５０は、検査結果情報など各種情報を記憶する記憶部５１と、記憶部５１に保管されている各種情報を処理する情報処理部５２と、記憶部５１から送信された情報を基にＷｅｂサイトを構築するＷｅｂサイト構築部５３と、を備えている。
【００２４】
記憶部５１は、検査種別コード記憶部５１ａと、合成情報記憶部５１ｂと、検査結果情報記憶部５１ｃと、付加情報記憶部５１ｄと、を備えている。
【００２５】
検査種別コード記憶部５１ａには、あらかじめ設定された検査種別コードの情報が記憶されている。この検査種別コードは、検査機器名などに依存したものではなく、検査の種類それぞれに対応したコードであり、たとえば、６桁の数字を用いて表されるが、これに限られず、アルファベットまたは各種記号を用いたものであってもよい。また、検査種別コードは、検査の種類の情報を共通化することに用いることが可能である。
【００２６】
合成情報記憶部５１ｂは、後述する合成情報生成部５２ａから送信された合成情報を受信し記憶する。ここで、合成情報とは、検査の種類それぞれをユーザが独自に特定した情報（以下、検査種類特定情報）に、この検査種類特定情報に対応する上記検査種別コードを、該ユーザによる入力装置（操作手段）の操作により紐付けることによって得た情報である。また、上記検査種類特定情報は、具体的には、たとえば、各医療機関などによって独自に名付けられた検査の種類それぞれの名称または略語のことである。したがって、上記検査種類特定情報は、各医療機関などで異なっていることがある。
【００２７】
検査結果情報記憶部５１ｃは、検査結果情報取得部２２から検査結果情報を受信し、記憶する。また、図示しないが、検査結果情報記憶部５１ｃは、情報提供用端末２０が複数ある場合、すべての情報提供用端末２０の検査結果情報取得部２２から各種情報を受信し、保管（記憶）できるようになっている。
【００２８】
付加情報記憶部５１ｄは、上記検査種類特定情報が付加された検査結果情報（以下、付加情報）を受信し、記憶する。
【００２９】
情報処理部５２は、合成情報生成部５２ａと、情報付加部５２ｂと、を備えている。合成情報生成部５２ａは、上記検査種類特定情報に、上記検査種類特定情報に対応する上記検査種別コードを、ユーザによる情報端末における入力装置（操作手段）の操作によって紐付けて合成情報を生成する処理を実行させるものである。情報付加部５２ｂは、上記検査結果情報に、ユーザによる入力装置（操作手段）の操作によって対応する上記合成情報を付加する処理を実行させるものである。
【００３０】
Ｗｅｂサイト構築部５３は、情報処理部５２から送信されたデータを基にＷｅｂサイトを構築する処理を実行させるものである。また、Ｗｅｂサイト構築部５３は、情報処理部５２を介して記憶部５１と情報の送受信が可能であるが、直接、記憶部５１と情報の送受信ができる構成であってもよい。
【００３１】
なお、サーバ５０は、ＣＰＵと、主記憶装置と、記憶部５１を含む補助記憶装置と、通信Ｉ／Ｆと、入力装置（キーボード、マウス（ポインティングデバイス）、タッチパネルなど）と、ディスプレイ装置（いずれも図示せず）を備えており、補助記憶装置に記憶（インストール）されたＷｅｂサイト構築用プログラム、及び、情報処理プログラムをＣＰＵが主記憶装置にロードして実行することによって、Ｗｅｂサイト構築部５３のＷｅｂサイト構築機能と、情報処理部５２の情報処理機能と、を実現する。また、後に詳述するが、情報処理部５２における情報処理は、記憶部５１から受信して読み取った各種情報を、Ｗｅｂサイト構築部５３でのＷｅｂサイト構築に使用できるデータに変換する処理を含む。また、サーバ５０は、補助記憶装置に記憶（インストール）された閲覧プログラム、データ閲覧・付加プログラムをＣＰＵが主記憶装置にロードして実行することによって、閲覧が許可された所定のユーザによる閲覧用端末３０における所定の操作によって、閲覧用端末３０においてＷｅｂサイトを閲覧可能とする閲覧機能と、所定のユーザによる閲覧用端末３０における所定の操作によって、上記検査結果情報を閲覧可能とし、且つ、上記検査結果情報に上記合成情報を付加可能とするデータ閲覧・付加機能と、を実現させる。
【００３２】
（閲覧システム１００の各部位の処理動作）
次に、閲覧システム１００における各部位の処理動作について図を用いて説明する。なお、ここでは、ＣＴスキャン装置１０から得られるデータは、上記検査結果情報のみとして説明するが、ＣＴスキャン装置１０から得られるデータはこれらに限られず、他のデータ（例えば、ＣＴスキャン装置１０のメーカー名、型番、ＣＴスキャン装置１０で使用されているソフトウェア名、該ソフトウェアのバージョンなど様々なデータ）を付帯させてもよい。また、ＣＴスキャン装置１０から得られたデータには、情報提供用端末２０、情報付加用端末４０において、権限を有した各ユーザにより、必要に応じて、情報の追記を行ってもよい。また、ＣＴスキャン装置１０から得られたデータのうち、個人情報に当たるデータなどを、権限を有したユーザにより、必要に応じて情報提供用端末２０において削除してもよい。
【００３３】
（情報提供用端末２０の処理動作、及び、サーバ５０の情報取得処理動作）
情報保管部２１は、ＣＴスキャン装置１０で得られた情報をＣＴスキャン装置１０から受信し、保管（記憶）する。次に、検査結果情報取得部２２は、情報保管部２１に保管されている検査結果情報を取得する。その後、得られた検査結果情報をサーバ５０内の検査結果情報記憶部５１ｃに送信する。
【００３４】
なお、検査結果情報取得部２２においてサーバ５０の管理者が発行するＳＤカードなどの記録媒体に検査結果情報を書き込み、該記録媒体をサーバ５０の管理者に送付し、サーバ５０の管理者が該記録媒体から検査結果情報記憶部５１ｃに読み込みさせることとしてもよい。ここで、検査結果情報取得部２２において実行するためのプログラム及び該記録媒体にはシリアルナンバーデータが含まれており、該シリアルナンバーデータが合致していないと該記録媒体に得られたデータを書き込みすることができないようになっている。これにより、該記録媒体を用いた場合でも、情報の流出を防止することができる。
【００３５】
（サーバ５０の情報処理動作及び記憶処理動作）
まず、合成情報生成部５２ａは、検査種別コード記憶部５１ａから検査種別コードの情報を読み取る。そして、合成情報生成部５２ａは、ユーザによる入力装置の操作に基づいて、各検査種類特定情報に、対応する上記検査種別コードの情報をそれぞれ紐付け、合成情報を生成する。続いて、合成情報生成部５２ａは、生成した合成情報を合成情報記憶部５１ｂに送信する。合成情報を受信した合成情報記憶部５１ｂは、この合成情報を記憶する。
【００３６】
次に、情報付加部５２ｂは、検査結果情報記憶部５１ｃから検査結果情報を読み取るとともに、合成情報記憶部５１ｂから合成情報を読み取る。そして、ユーザによる入力装置の操作に基づいて、各検査結果情報に、対応する合成情報を付加して、付加情報を生成する。続いて、情報付加部５２ｂは、生成した付加情報を付加情報記憶部５１ｄに送信する。付加情報を受信した付加情報記憶部５１ｄは、上記検査種類特定情報が付加された付加情報を受信し、記憶する。
【００３７】
次に、Ｗｅｂサイト構築部５３は、付加情報記憶部５１ｄから付加情報を取得して、閲覧用端末３０のＷｅｂブラウザ３１で閲覧可能なＷｅｂサイト、または、情報付加用端末４０のＷｅｂブラウザ４１で閲覧及び各種情報の付加が可能なＷｅｂサイトを構築し、終了する。なお、構築されたＷｅｂサイトのデータは、サーバ５０内の補助記憶装置に記憶される。
【００３８】
（情報付加用端末４０の処理動作とサーバ５０の情報処理動作）
情報付加用端末４０において、ＩＤ及びパスワードによって認証されたユーザ（例えば、画像診断医、専門知識を有した又は認定資格試験に合格した医療従事者（エキスパート）など）が入力装置を用いて操作することにより、Ｗｅｂブラウザ４１は、サーバ５０内の検査種別コード記憶部５１ａから検査種別コードの情報を取得し、情報付加用端末４０のディスプレイ装置に検査種別コードを表示する（たとえば、図２〜図５参照）。ここで、図２は、ＣＲ（Computed Radiography）装置を用いた検査の場合における検査種別コードを、情報付加用端末４０のディスプレイ装置に表示した状態を示した写真である。同様に、図３においてはＤＲ(Digital Ragiography)装置を用いた検査の場合、図４においてはＤＸ（Digital X-Ray）装置を用いた検査の場合、図５においてはＲＦ（Radio Fluoroscopy）装置を用いた検査の場合、における検査種別コードを、情報付加用端末４０のディスプレイ装置に表示した状態を示した写真である。
【００３９】
なお、図２における「CR400332」のうち下６桁「400332」の検査内容（＝検査名）は、「Ｘ線透視・造影検査アルトログラフィ（関節腔造影検査）右足関節側面（指定なし）」ということになる。同様に、図３における「DR400332」のうち下６桁「400332」の検査内容（＝検査名）は、「Ｘ線透視・造影検査アルトログラフィ（関節腔造影検査）右足関節側面（指定なし）」ということになる。また、図４における「DX400332」のうち下６桁「400332」の検査内容（＝検査名）は、「Ｘ線透視・造影検査アルトログラフィ（関節腔造影検査）右足関節側面（指定なし）」ということになる。また、図５における「RF400332」のうち下６桁「400332」の検査内容（＝検査名）は、「Ｘ線透視・造影検査アルトログラフィ（関節腔造影検査）右足関節側面（指定なし）」ということになる。すなわち、別々の検査機器による検査の情報であるが同じ種類の検査について、標準化されている検査種別コードを一部に使用している。
【００４０】
次に、ユーザは、検査結果情報およびディスプレイ装置に表示された検査種別コードを参照して、検査種類特定情報（独自の検査の種類の名称等の情報）のいずれと対応するか検討した後、入力装置を用いて、Ｗｅｂブラウザ４１のＷｅｂサイトの該当入力欄における検査種別コードを検査種類特定情報に紐付ける操作を行う。以下、具体例を用いて説明する。
【００４１】
まず、ユーザが入力装置を用いて情報付加用端末４０を操作することにより、Ｗｅｂブラウザ４１は、サーバ５０内の補助記憶装置からＷｅｂサイト構築部５３を介してＷｅｂサイトの情報を取得し、図６に示した画像をＷｅｂサイトとして情報付加用端末４０のディスプレイ装置において表示する。なお、以下では、特に示さない場合でも、ユーザが入力装置を用いて、情報を入力することによって、Ｗｅｂブラウザ４１がサーバ５０と協同して、各動作の処理をしていることは言うまでもない。
【００４２】
ここで、図６においては、ＣＴ検査を選択する様子を示している。また、ユーザは、検査結果情報のうち、たとえば、ＤＩＣＯＭ情報を検査後に閲覧することができ、このＤＩＣＯＭ情報から、いずれの検査を行ったかを判断する。ここでのＤＩＣＯＭ情報には、図６に示したように、Study Description，Protocol Name，Acquisition Protocol，Acquisition Device Processing Description，Image Comments，Series Description，View Position、の７つの項目が含まれる。また、図６の例では、「Protocol Name」の欄に、「TEST CHEST/Thorax」と表示されているが、この「TEST CHEST/Thorax」は、その医療機関などの独自の呼称又は略語の例である。
【００４３】
次に、ユーザが入力装置を用いて情報付加用端末４０を操作することにより、「TEST CHEST/Thorax」をキーワードとして選択し、登録すると、図７のＷｅｂサイト画面の写真に示したように、「Protocol Name」の欄において、「TEST CHEST/Thorax」の前に「key」の文字が表示される。そして、ユーザが入力装置を用いて情報付加用端末４０を操作することにより、「key」の文字が表示されているものだけ（「Protocol Name」に「TEST CHEST/Thorax」と表示されているものだけ）を検索すると、図８のＷｅｂサイト画面の写真に示したように、「key」の文字が表示されているものだけがリスト表示される。
【００４４】
次に、ユーザは、図８のリストから、検査種別コードを付加したい検査結果情報の欄を選択した後、その選択した欄の「Protocol Name」の「TEST CHEST/Thorax」を見て、どのような検査内容（検査名）だったか、すなわち、どのような検査種類特定情報（独自の検査の種類の名称等の情報）だったかを思い出して、入力装置を用いて検査種類特定情報を入力する。なお、図９の画像の写真において、「Part」（部位）のプルダウンリストから検査部位を選択する様子（ここでは、「Lung」（肺）を最終的に選択する直前の状態）を示している。
【００４５】
また、図１０の画像の写真においては、「Part」（部位）において「Lung」（肺）を選択した様子を示している。これにより、自動的に図１０下部のプルダウンリストの表示内容は、検索における絞り込み結果が表示される。この検索の絞り込みの条件は、モダリティ（検査機器の分類）がＣＴ（Computed Tomography）であること、「Part」（部位）が「Lung」（肺）であることで、Part（部位）を選択した直後に自動的に検索表示されるようになっている。
【００４６】
ここで、図１０下部のプルダウンリストから「X線CT検査胸部CT Chest」を選択した状態の画像の写真を図１１に示す。ちなみに、図１０下部のプルダウンリストは、たとえば、「X線CT検査胸部CT Chest」のように、日本語表記が左、英語表記が右となるように構成されている。このようにして図１０下部のプルダウンリストから適切な検査種類を選択後、自動的にM code（検査種別コード）欄に、たとえば緑文字色で「CT100021」と表示される。その後、自施設の呼称又は略語の検査内容（＝検査名）と、標準化した検査種別コード（M code）とを紐付ける処理（関連性を持たす処理）が実行されれば．図１２の画像の写真に示したように、メッセージ（「Tagged OK」の文字）が画面に表示される処理がＷｅｂサイト構築部５３によって実行される。このとき、合成情報生成部５２ａは、Ｗｅｂサイト構築部５３を介して、入力された検査種類特定情報を取得して、検査種類特定情報と検査種別コードとを用いて合成情報を生成する。そして、情報付加部５２ｂは、検査結果情報にこの合成情報を付加し、付加情報を生成する。
【００４７】
続いて、該メッセージ表示後には、Tagging結果が示される。たとえば、図１３の画像の写真に示したように、各該当欄の横バーに各M code（検査種別コード）が示される。図１３及び図１４の画像の写真の左側には短冊状の縦長バーが検査結果情報ごとに設けられているが、この短冊状の縦長バーにはTagging結果を示す色が付されている。たとえば、この短冊状の縦長バーの色が「青色」なら「Tagging済み（M codeあり）」、すなわち、情報付加部５２ｂによって付加情報が生成されたことを示す。また、たとえば、この短冊状の縦長バーの色が「赤色」なら「taggingできない（上記7つの項目が空）」、すなわち、情報付加部５２ｂによって付加情報が生成されなかったことを示す。また、この短冊状の縦長バーの色が「黄色」なら「Taggingが未完成（M codeなし）」、すなわち、情報付加部５２ｂはまだ処理動作を行っていないことを示す。このように、Ｗｅｂサイト構築部５３によれば、Tagging結果（情報付加部５２ｂが付加情報を生成したか否か、まだ処理を行っていないかなど）を場合分けして表示したＷｅｂサイトを構築することができる。
【００４８】
（閲覧用端末３０の処理動作）
閲覧用端末３０において、ＩＤ及びパスワードによって認証されたユーザ（例えば、ＣＴスキャン装置１０の管理者、情報提供用端末２０の管理者など）が入力装置を用いて操作することによって、サーバ５０内の補助記憶装置からＷｅｂサイト構築部５３を介してＷｅｂサイトのデータを取得し、Ｗｅｂブラウザ３１によりＷｅｂサイトをディスプレイ装置に表示する。これにより、閲覧用端末３０において、サーバ５０の付加情報記憶部５１ｄから得られる情報を、Ｗｅｂサイトを介して閲覧可能となる。したがって、各閲覧用端末３０において、例えば、所定の被検査者の検査結果情報（被検査者固有のＩＤも含む）、または、他施設から提供された被検査者ごとのＣＴスキャン装置１０の被爆量データ（ＣＴスキャン装置１０のメーカー名、型番、ＣＴスキャン装置１０で使用されているソフトウェア名、該ソフトウェアのバージョンなどのデータが含まれる場合もある。）を、標準化した検査種別コードを用いて検索し、閲覧することができる。
【００４９】
（閲覧システム１００の特徴）
ＣＴスキャン装置１０、情報提供用端末２０及び閲覧用端末３０を有した医療施設などにおける所定のユーザは、閲覧システム１００により、検査種別コードを閲覧用端末３０において選択するだけで、検査機器名、検査の独自種類名（たとえば、称呼または略語）などが異なっていても、同じ種類の検査の結果を抽出して閲覧することができる。すなわち、所定のユーザは、検査種別コードを閲覧用端末３０において選択するだけで、検査機器の種類および検査の独自種類名に依存しないで、検査内容が同一の検査の結果を抽出し、分類することができる。
【００５０】
また、閲覧システム１００によれば、上記所定のユーザが用いている検査の独自種類名からも、検査内容が同一の検査の結果を抽出し、分類することができる。すなわち、複数の医療施設などがそれぞれ閲覧システム１００を利用している場合、各ユーザが用いている検査の独自種類名のそれぞれから、検査内容が同一の検査の結果の情報を抽出し、分類することができる。したがって、各ユーザは、他の医療施設などの検査の結果の情報を分析することなどが可能である。
【００５１】
また、閲覧システム１００によれば、検査機器の種類ごとに検査結果を分類することも可能である。
【００５２】
以上、本発明の実施の形態を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００５３】
例えば、閲覧システム１００を生まれた時から用いる場合、又は、閲覧システム１００を途中からでも続けて用いる場合には、様々な医療機関などから上記被検査者の検査時の被曝量の情報を取得し続けることで、一生を通じた被検査者の放射線量の情報の管理が可能となる。以下、具体例を用いて説明する。
【００５４】
上述した検査結果情報には、被検査者固有のＩＤ、および、その被検査者の過去の被爆を伴う放射線検査履歴情報が含まれていてもよい。なお、被検査者固有のＩＤとしては、たとえば、被検査者（Patient）のＩＤ（Patient ID）、ＰＵＩＤ（Patient Unique Identification）などのことであり、複数割り当てられていてもよい。また、ＰＵＩＤは、撮影方法（シリーズ）ごとに発行されている。
【００５５】
また、情報処理部５２において、検査結果情報記憶部５１ｃから検査結果情報のうち放射線検査履歴情報（各種の検査（スタディ）の回数の情報、および、撮影方法（シリーズ）の情報を含む）を読み取り、ＰＵＩＤ（Patient Unique Identification）を割り当てた後、記憶部５１において記憶する。このＰＵＩＤは、Ｗｅｂサイト構築部５３において構築されたＷｅｂサイトで表示可能であり、閲覧用端末３０のＷｅｂブラウザ３１を介して医療機関、患者も参照できる。たとえば、図１５に示した画像の写真のように、被検査者（Patient）のＩＤ（Patient ID）、または、ＰＵＩＤから、放射線検査履歴情報を検索する。
【００５６】
次に、被検査者（Patient）のＩＤ（Patient ID）で検索した場合のＷｅｂブラウザ３１に表示された画像の写真を、図１６に示す。なお、図１６中の「ABDO_TO_PELVIS」は撮影範囲を示している。この図１６の写真では、検索結果として、その被検査者のこれまでの被爆を伴う放射線検査履歴が全てリスト表示されている。
【００５７】
また、ＰＵＩＤで検索した場合のＷｅｂブラウザ３１に表示された画像の写真を、図１７に示す。この図１７の写真では、検索結果は、検査（スタディ）ごとに、撮影回数、検査日、検査名（Acquisition Protocol）、撮影方法（シリーズ）が表示されている。また、撮影方法（シリーズ）は、撮影方法（シリーズ）ごとにカンマ区切りして数値で表示されている（「Each_DLP」、「Each Mean CTDlvol」）。
【００５８】
次に、Ｗｅｂブラウザ３１において、ＰＵＩＤからピンポイント表示（シリーズのみ）させた場合の画像の写真を、図１８に示す。
【００５９】
また、ＰＵＩＤで検索した場合の検索結果を紙媒体に印刷した例を、図１９に示す。また、ＰＵＩＤで検索した場合のＷｅｂブラウザ３１に表示された画像の写真を、図２０に示す。図２０では、「Index」欄に被曝量が表示されている。
【００６０】
このようにして、一生を通じた被検査者の放射線量の情報の管理が可能となる。
【符号の説明】
【００６１】
１０    ＣＴスキャン装置
２０    情報提供用端末
２１    情報保管部
２２    情報取得部
３０    閲覧用端末
３１、４１    Ｗｅｂブラウザ
４０    情報付加用端末
５０    サーバ
５１    記憶部
５１ａ    検査種別コード記憶部
５１ｂ    合成情報記憶部
５１ｃ    検査結果情報記憶部
５１ｄ    付加情報記憶部
５２    情報処理部
５２ａ    合成情報生成部
５２ｂ    情報付加部
５３    Ｗｅｂサイト構築部
１００    閲覧システム
【図１】
2019003386.tif 000003
【図２】
2019003386.tif 000004
【図３】
2019003386.tif 000005
【図４】
2019003386.tif 000006
【図５】
2019003386.tif 000007
【図６】
2019003386.tif 000008
【図７】
2019003386.tif 000009
【図８】
2019003386.tif 000010
【図９】
2019003386.tif 000011
【図１０】
2019003386.tif 000012
【図１１】
2019003386.tif 000013
【図１２】
2019003386.tif 000014
【図１３】
2019003386.tif 000015
【図１４】
2019003386.tif 000016
【図１５】
2019003386.tif 000017
【図１６】
2019003386.tif 000018
【図１７】
2019003386.tif 000019
【図１８】
2019003386.tif 000020
【図１９】
2019003386.tif 000021
【図２０】
2019003386.tif 000022
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
コンピュータを、
情報の入力操作が可能な操作手段、
検査の種類それぞれに対応しており、あらかじめ設定された検査種別コードの情報を記憶する検査種別コード記憶手段、
医療機関ごとまたは部署ごとに各ユーザによる前記操作手段の操作によって、前記検査の種類それぞれを前記各ユーザが独自に特定した情報（以下、検査種類特定情報）に、前記検査種類特定情報に対応する前記検査種別コードの情報を紐付けて、合成情報を生成する合成情報生成手段、
前記合成情報を記憶する合成情報記憶手段、
前記検査それぞれによって得られた各検査結果の情報（以下、検査結果情報）に、前記各ユーザによる前記操作手段の操作によって対応する前記合成情報を付加する情報付加手段、
前記情報付加手段によって前記検査種類特定情報が付加された前記検査結果情報（以下、付加情報）を記憶する付加情報記憶手段、
前記付加情報記憶手段と通信可能に接続され、前記付加情報に含まれる情報のうちいずれか１つ以上を表示するＷｅｂサイトを構築可能なＷｅｂサイト構築手段、
閲覧が許可された所定のユーザによる閲覧用外部端末の所定の操作の信号を受信した場合、前記閲覧用外部端末において前記Ｗｅｂサイトを閲覧可能にするとともに、前記Ｗｅｂサイトにおいて前記付加情報に含まれる前記検査種別コードまたは前記検査種類特定情報を介して前記検査結果情報を閲覧可能な閲覧手段、
として機能させるプログラム。
【請求項２】
前記検査結果情報のそれぞれには、
被検査者の固有ＩＤの情報（以下、固有ＩＤ情報）と、
前記固有ＩＤ情報に紐付けられ、前記被検査者が検査時に被爆した放射線量の情報（以下、放射線量情報）と、
が含まれており、
前記閲覧手段は、前記固有ＩＤ情報を介して前記検査結果情報に含まれる前記被検査者の放射線量の情報を閲覧可能なものであることを特徴とする請求項１に記載のプログラム。
【請求項３】
前記合成情報生成手段は、前記検査を行う検査機器の種類の情報をさらに合成情報に合成可能なものであることを特徴とする請求項１又は２に記載のプログラム。
【請求項４】
請求項１〜３のいずれか１項に記載のプログラムを記憶した記憶手段と、前記プログラムを実行するコンピュータと、を備える閲覧システム。
【手続補正２】
【補正対象書類名】明細書
【補正対象項目名】０００７
【補正方法】変更
【補正の内容】
【０００７】
（１）  本発明に係るプログラムは、コンピュータを、情報の入力操作が可能な操作手段、検査の種類それぞれに対応しており、あらかじめ設定された検査種別コードの情報を記憶する検査種別コード記憶手段、医療機関ごとまたは部署ごとに各ユーザによる前記操作手段の操作によって、前記検査の種類それぞれを前記各ユーザが独自に特定した情報（以下、検査種類特定情報）に、前記検査種類特定情報に対応する前記検査種別コードの情報を紐付けて、合成情報を生成する合成情報生成手段、前記合成情報を記憶する合成情報記憶手段、前記検査それぞれによって得られた各検査結果の情報（以下、検査結果情報）に、前記各ユーザによる前記操作手段の操作によって対応する前記合成情報を付加する情報付加手段、前記情報付加手段によって前記検査種類特定情報が付加された前記検査結果情報（以下、付加情報）を記憶する付加情報記憶手段、前記付加情報記憶手段と通信可能に接続され、前記付加情報に含まれる情報のうちいずれか１つ以上を表示するＷｅｂサイトを構築可能なＷｅｂサイト構築手段、閲覧が許可された所定のユーザによる閲覧用外部端末の所定の操作の信号を受信した場合、前記閲覧用外部端末において前記Ｗｅｂサイトを閲覧可能にするとともに、前記Ｗｅｂサイトにおいて前記付加情報に含まれる前記検査種別コードまたは前記検査種類特定情報を介して前記検査結果情報を閲覧可能な閲覧手段、として機能させるものである。